(57)【要約】【課題】  仮想音場の効果が得られるスイートスポットを拡大する。【解決手段】  第１のスピーカドライバと、第１のスピーカドライバの振動軸に対してその振動軸が略１８０度の角度となるよう配置された第２のスピーカドライバと、音像を任意の位置に定位させる立体音源作成回路によって作成された立体音源信号を第１のスピーカドライバ及び第２のスピーカドライバから再生する立体音源再生手段を備える。【選択図】        図１
2005073202.tif 000002
【特許請求の範囲】
【請求項１】
第１のスピーカドライバと、
該第１のスピーカドライバの振動軸に対してその振動軸が略１８０度の角度となるよう配置された第２のスピーカドライバと、
音像を任意の位置に定位させる立体音源作成回路によって作成された立体音源信号を前記第１のスピーカドライバ及び第２のスピーカドライバから再生する立体音源再生手段を備えた立体音源再生用スピーカ。
【請求項２】
前記立体音源信号は予め立体音源作成回路によって作成された後、メモリに記録され、前記立体音源信号の再生時、該メモリから前記立体音源信号を読み出して再生することを特徴とする請求項１に記載の立体音源再生用スピーカ。
【請求項３】
外形形状が卵形をしており、その長手方向の軸線上に前記第１及び第２のスピーカドライバが取り付けられていることを特徴とする請求項１に記載の立体音源再生用スピーカ。
【発明の詳細な説明】
【技術分野】
【０００１】
本発明は、仮想音像定位制御技術を使用して音源を立体的に再生するための立体音源再生用スピーカに関する。
【背景技術】
【０００２】
近年、リスナーの前方２個のスピーカだけを使用してリスナーの後方にも音像を定位させることが可能な仮想音場定位技術を搭載した製品が提案されている。この仮想音場定位技術は、特定の位置にリスナーの耳が存在するものと仮定して、各種フィルタ特性を設定する必要がある。
【発明の開示】
【発明が解決しようとする課題】
【０００３】
従って、リスナーがこの特定の位置から離れた位置にいると、仮想音場の効果が著しく低下し、本来定位すべき位置に音が定位しなくなるものであり、そのスイートスポットは極めて狭いものであった。また、通常、スピーカの振動軸はリスナーの方向を向いて設置される。従って、スピーカからの距離が同一でもリスナーの耳の高さが異なると、スピーカの振動軸線上からはずれることにより、仮想音場の効果が低下する。一方、このスイートスポットを広げることも可能であるが、仮想音場の効果は薄くなり、トレードオフの関係にあった。
【課題を解決するための手段】
【０００４】
本発明は上述の課題を解決するために、第１のスピーカドライバと、第１のスピーカドライバの振動軸に対してその振動軸が略１８０度の角度となるよう配置された第２のスピーカドライバと、音像を任意の位置に定位させる立体音源作成回路によって作成された立体音源信号を第１のスピーカドライバ及び第２のスピーカドライバから再生する立体音源再生手段を備える。
【発明の効果】
【０００５】
本発明によれば、これまでピンポイントであった仮想音源のリスニングポイントを拡大することができ、同時に複数のリスナーが仮想音像を聴取することを可能にする立体音源再生用スピーカを提供できるものである。
【発明を実施するための最良の形態】
【０００６】
以下、本発明による最良の実施形態を、添付図面を参照しながら説明する。
【実施例１】
【０００７】
図１〜４はそれぞれスピーカ１の正面図、背面図、左側面図及び右側面図である。外形形状が卵形のスピーカ１における長手方向の軸線上にはスピーカドライバ２、３が配置されている。このスピーカドライバ２、３の振動軸は互いに１８０度の角度とされ、背中合わせの状態で取り付けられている。スピーカ１の背面には電源スイッチ、再生ボタン、ストップボタンなどの各種操作部４が配置されている。
【０００８】
図５はスピーカ１に組み込まれる処理済みの立体音源を作成するための回路ブロックを示す。元の音源は音楽であったり、或いは鳥のさえずりや小川のせせらぎの音など、種々のものを使用することが可能である。この原音源１０のステレオ出力はそれぞれフィルタ１１〜１４に入力される。
【０００９】
ここで、スピーカドライバ２、３から再生された際に、再生音がそれぞれ特定の位置に定位するインパルス応答となるようなフィルタ特性がフィルタ１１〜１４に与えられている。一般にこのフィルタ係数は頭部伝達関数（ＨＲＴＦ）と呼ばれ、畳み込み演算処理が行われる。これらフィルタ１１〜１４及び加算回路１５、１６によってＨＲＴＦフィルタ回路３１を構成している。
【００１０】
上記フィルタ１１、１３の出力信号を加算する加算回路１５の出力はデジタルフィルタ２１、２２に入力され、また上記フィルタ１２、１４の出力信号を加算する加算回路１６の出力はデジタルフィルタ２３、２４に入力されている。デジタルフィルタ２１、２３の出力は加算回路２５によって、またデジタルフィルタ２２、２４の出力は加算回路２６によって加算される。
【００１１】
デジタルフィルタ２１〜２４及び加算回路２５、２６はクロストークキャンセル回路３２を構成し、本来、左耳に入るべき加算回路１５の出力信号が右耳に入るのを防ぎ、また右耳に入るべき加算器１６の出力信号が左耳に入るのを防ぐ働きを行う。このＨＲＴＦ回路３１及びクロストークキャンセル回路３２からなる立体音源作成回路によって、意図した位置に音像を定位させることができる。従って、例えば小川のせせらぎの音を、リスナーを包み込むように定位させることも可能である。また、フィルタ１１〜１４の定数を連続的に変化させることで、再生音の定位位置を移動させることも可能であり、例えば自動車の音をリスナーの前方から後方に移動させることも可能となる。加算回路２５、２６の出力はメモリ２７に記録される。
【００１２】
図６はスピーカ１の内部に組み込まれる回路ブロック図を示す。操作部４の操作によって、マイコン５はメモリ２７を制御し、メモリ２７は上述のように加工処理された複数の立体音源のうち、１個を選択して出力する。この出力信号は増幅器２８、２９によって増幅された後、スピーカドライバ２、３から互いに１８０度の角度で放射される。
【００１３】
ＨＲＴＦ回路３１及びクロストークキャンセル回路３２共に、リスナーが特定の位置に位置することを想定してフィルダ係数を設定するが、スピーカドライバ２、３の振動軸線は１８０度の角度であるため、例えばスピーカ１を机の上に置いた場合、机と同じ高さにリスナーがいる場合と、机の真上にリスナーがいる場合とであっても共にスピーカ１からの距離が同一であればその仮想音場効果は変わらない。換言すれば、スピーカ１のスイートスポットは点ではなく、図７に示すようにスピーカドライバ２、３の振動軸線を中心とした任意の半径Ｌの線６上及びその近辺であればその効果は同一である。勿論、この半径Ｌは任意に調整可能である。
【００１４】
また、上述のスピーカドライバ２、３の配置によって各ドライバからの放射音は直接リスナー方向に向かうのではなく、横に向かうことになる。これによって、仮想音像定位処理していない音であっても、音像はスピーカドライバ２、３から離れた場所に定位し、スピーカドライバ２、３の間隔が狭いという欠点を補うことができる。
【００１５】
なお、本発明におけるスピーカ１の外形形状は、上述の実施例のごとく卵形に限定されることなく、通常の直方体の形状など、任意の形状が取り得る。
【００１６】
また、上述の実施例においては立体音源１０を予めＨＲＴＦ回路３１及びクロストークキャンセル回路３２からなる立体音源作成回路によって作成し、メモリ２７に記録しているため、スピーカ１には高価なＤＳＰ等の回路素子を必要としないという効果を奏する。しかしながら、本発明はこれに限定されることなく、通常の原信号を立体音源作成回路によってリアルタイムに信号処理し、この信号をスピーカドライバによって再生することも可能である等、本発明の趣旨を逸脱することなく種々の態様を取り得る。
【図面の簡単な説明】
【００１７】
【図１】スピーカ１の正面図。
【図２】スピーカ１の背面図。
【図３】スピーカ１の左側面図。
【図４】スピーカ１の右側面図。
【図５】仮想定位処理を施した音源を作成するためのブロック図。
【図６】スピーカ１の回路ブロック図。
【図７】スピーカ１のスイートスポットを示す図。
【符号の説明】
【００１８】
１  スピーカ
２、３  スピーカドライバ
４  操作部
５  マイコン
１０  音源
２７  メモリ
３１  ＨＲＴＦ回路
３２  クロストークキャンセル回路
【図１】
2005073202.tif 000003
【図２】
2005073202.tif 000004
【図３】
2005073202.tif 000005
【図４】
2005073202.tif 000006
【図５】
2005073202.tif 000007
【図６】
2005073202.tif 000008
【図７】
2005073202.tif 000009